(57)【特許請求の範囲】
【請求項１】
所定数の記録媒体に記録された所定数のデータを高速再生する再生手段と、
前記再生手段が高速再生するデータを所定の記録媒体に高速記録する記録手段と、
前記記録手段が高速記録済みのデータを再び高速記録することを禁止する禁止時間を、該記録手段が高速記録するデータ毎に設定する時間設定手段と、
前記禁止時間を計測する計時手段と、
前記禁止時間が未経過であるデータを前記記録手段が高速記録することを禁止する禁止手段と、
から構成されているデータ記録再生装置であって、
前記時間設定手段は、データを通常速度で再生するのに要する時間から、前記記録手段が該データを高速記録するのに要する時間を引いた時間を、該データの禁止時間として設定し、
前記計時手段は、前記記録手段がデータの高速記録を行っている間、前記禁止時間の計測を停止する、ことを特徴とするデータ記録再生装置。
【請求項２】
前記計時手段は、前記記録手段がデータの高速記録を終えた時点から、該データの前記禁止時間を計測する、ことを特徴とする請求項１に記載のデータ記録再生装置。
【請求項３】
所定数の記録媒体に記録された所定数のデータを高速再生する再生手段と、
前記再生手段が高速再生するデータを所定の記録媒体に高速記録する記録手段と、
前記記録手段が高速記録済みのデータを再び高速記録することを禁止する禁止時間を、該記録手段が高速記録するデータ毎に設定する時間設定手段と、
前記禁止時間を計測する計時手段と、
前記禁止時間が未経過であるデータを前記記録手段が高速記録することを禁止する禁止手段と、
から構成されているデータ記録再生装置であって、
前記時間設定手段は、データを通常速度で再生するのに要する時間を、該データの禁止時間として設定し、
前記計時手段は、前記記録手段が高速記録するデータが、計測する禁止時間のデータでない場合に、該記録手段がデータの高速記録を行っている間、該禁止時間の計測を停止する、ことを特徴とするデータ記録再生装置。
【請求項４】
前記記録手段が高速記録するデータ及び該データの禁止時間に関する情報をそれぞれ対応付けて記憶する記憶手段をさらに備える、ことを特徴とする請求項１乃至３の何れか１項に記載のデータ記録再生装置。
【請求項５】
所定数の記録媒体に記録された所定数のデータを高速再生する再生工程と、
前記再生工程で高速再生するデータを所定の記録媒体に高速記録する記録工程と、
前記記録工程で高速記録済みのデータを再び高速記録することを禁止する禁止時間を、該記録工程で高速記録するデータ毎に設定する時間設定工程と、
前記禁止時間を計測する計時工程と、
前記禁止時間が未経過であるデータを前記記録工程で高速記録することを禁止する禁止工程と、
を備えるデータ記録再生方法であって、
前記時間設定工程は、データを通常速度で再生するのに要する時間から、前記記録工程で該データを高速記録するのに要する時間を引いた時間を、該データの禁止時間として設定する工程を備え、
前記計時工程は、前記記録工程でデータの高速記録を行っている間、前記禁止時間の計測を停止する工程を備える、ことを特徴とするデータ記録再生方法。
【請求項６】
前記計時工程は、前記記録工程がデータの高速記録を終えた時点から、該データの前記禁止時間を計測する工程を備える、ことを特徴とする請求項５に記載のデータ記録再生方法。
【請求項７】
所定数の記録媒体に記録された所定数のデータを高速再生する再生工程と、
前記再生工程で高速再生するデータを所定の記録媒体に高速記録する記録工程と、
前記記録工程で高速記録済みのデータを再び高速記録することを禁止する禁止時間を、該記録工程で高速記録するデータ毎に設定する時間設定工程と、
前記禁止時間を計測する計時工程と、
前記禁止時間が未経過であるデータを前記記録工程で高速記録することを禁止する禁止工程と、
を備えるデータ記録再生方法であって、
前記時間設定工程は、データを通常速度で再生するのに要する時間を、該データの禁止時間として設定する工程を備え、
前記計時工程は、前記記録工程で高速記録するデータが、計測する禁止時間のデータでない場合に、該記録工程でデータの高速記録を行っている間、該禁止時間の計測を停止する工程を備える、ことを特徴とするデータ記録再生方法。
【請求項８】
前記記録工程で高速記録するデータ及び該データの禁止時間に関する情報をそれぞれ対応付けて記憶する記憶工程をさらに備える、ことを特徴とする請求項５乃至７の何れか１項に記載のデータ記録再生方法。
【請求項９】
コンピュータを、
所定数の記録媒体に記録された所定数のデータを高速再生する再生手段と、
前記再生手段が高速再生するデータを所定の記録媒体に高速記録する記録手段と、
前記記録手段が高速記録済みのデータを再び高速記録することを禁止する禁止時間を、該記録手段が高速記録するデータ毎に設定する時間設定手段と、
前記禁止時間を計測する計時手段と、
前記禁止時間が未経過であるデータを前記記録手段が高速記録することを禁止する禁止手段と、
から構成されているデータ記録再生装置であって、
前記時間設定手段は、データを通常速度で再生するのに要する時間から、前記記録手段が該データを高速記録するのに要する時間を引いた時間を、該データの禁止時間として設定し、
前記計時手段は、前記記録手段がデータの高速記録を行っている間、前記禁止時間の計測を停止する、ことを特徴とするデータ記録再生装置として機能させるためのプログラムを記録したコンピュータ読み取り可能な記録媒体。
【発明の詳細な説明】
【０００１】
【発明の属する技術分野】
本発明は、データ記録再生装置に関し、特に、著作権を保護する機能を有するデータ記録再生装置に関する。また、本発明は、著作権を保護すると共にデータを高速度でダビングする方法に関する。さらに、本発明は、著作権を保護すると共にデータを高速度でダビングするためのプログラムを記録した記録媒体に関する。
【０００２】
【従来の技術】
ＣＤ（Compact Disc）等に記録されている楽曲データをダビングする際、ＭＤ（Mini Disc ）等の光磁気ディスクを用いることにより、音質の劣化等をほとんど伴わずに楽曲データをＭＤ等に記録することができる。
オーディオ装置を用いて楽曲データをＣＤからＭＤにダビングする際、通常の再生速度よりも早い速度（倍速以上）でダビングすることにより、短時間で楽曲データをＭＤに記録することができる。
【０００３】
しかし、以上のような高速ダビングを連続して行うことにより、同一の楽曲データが多量にコピーされてしまう。このため、高速ダビングを行った場合、所定のダビング禁止時間内（例えば７４分間）は再度高速ダビングすることを禁止することにより、著作権を保護するオーディオ装置がある。
【０００４】
【発明が解決しようとする課題】
上記したように、著作権保護機能を備えたオーディオ装置を用いると、一度高速ダビングした後は、所定のダビング禁止時間が経過しない限り再び高速ダビングすることはできない。例えば、１つの楽曲データだけを高速ダビングした場合や、ＣＤのトータル記録時間が短い場合でも、所定のダビング禁止時間が経過しない限り再び高速ダビングすることはできない。このため、高速ダビングしていない楽曲データを高速ダビングする場合も、上記ダビング禁止時間の経過を待たなければならず、通常速度でダビングする場合よりも時間がかかってしまう場合がある。言い換えると、著作権保護機能を備えたオーディオ装置は、著作権の保護と、効率の良いデータの記録とを同時に実現することができないという問題がある。
【０００５】
従って、本発明は、著作権を保護すると共に、効率よくデータの記録を行うデータ記録再生装置及びデータ記録再生方法を提供することを目的とする。また、本発明は、著作権を保護すると共に、効率よくデータの記録を行うことを可能にする記録媒体を提供することを目的とする。
【０００６】
【課題を解決するための手段】
上記目的を達成するために、本発明の第１の観点にかかるデータ記録再生装置は、所定数の記録媒体に記録された所定数のデータを高速再生する再生手段と、前記再生手段が高速再生するデータを所定の記録媒体に高速記録する記録手段と、前記記録手段が高速記録済みのデータを再び高速記録することを禁止する禁止時間を、該記録手段が高速記録するデータ毎に設定する時間設定手段と、前記禁止時間を計測する計時手段と、前記禁止時間が未経過であるデータを前記記録手段が高速記録することを禁止する禁止手段と、から構成されているデータ記録再生装置であって、前記時間設定手段は、データを通常速度で再生するのに要する時間から、前記記録手段が該データを高速記録するのに要する時間を引いた時間を、該データの禁止時間として設定し、前記計時手段は、前記記録手段がデータの高速記録を行っている間、前記禁止時間の計測を停止する、ことを特徴とする。
この発明によれば、著作権を保護すると共に、効率よくデータの記録を行うことができる。
【０００７】
前記計時手段は、前記記録手段がデータの高速記録を終えた時点から、該データの前記禁止時間を計測してもよい。
【００１０】
本発明の第２の観点にかかるデータ記録再生装置は、所定数の記録媒体に記録された所定数のデータを高速再生する再生手段と、前記再生手段が高速再生するデータを所定の記録媒体に高速記録する記録手段と、前記記録手段が高速記録済みのデータを再び高速記録することを禁止する禁止時間を、該記録手段が高速記録するデータ毎に設定する時間設定手段と、前記禁止時間を計測する計時手段と、前記禁止時間が未経過であるデータを前記記録手段が高速記録することを禁止する禁止手段と、から構成されているデータ記録再生装置であって、前記時間設定手段は、データを通常速度で再生するのに要する時間を、該データの禁止時間として設定し、前記計時手段は、前記記録手段が高速記録するデータが、計測する禁止時間のデータでない場合に、該記録手段がデータの高速記録を行っている間、該禁止時間の計測を停止する、ことを特徴とする。
【００１１】
前記記録手段が高速記録するデータ及び該データの禁止時間に関する情報をそれぞれ対応付けて記憶する記憶手段をさらに備えてもよい。
【００１２】
本発明の第３の観点にかかるデータ記録再生方法は、所定数の記録媒体に記録された所定数のデータを高速再生する再生工程と、前記再生工程で高速再生するデータを所定の記録媒体に高速記録する記録工程と、前記記録工程で高速記録済みのデータを再び高速記録することを禁止する禁止時間を、該記録工程で高速記録するデータ毎に設定する時間設定工程と、前記禁止時間を計測する計時工程と、前記禁止時間が未経過であるデータを前記記録工程で高速記録することを禁止する禁止工程と、を備えるデータ記録再生方法であって、前記時間設定工程は、データを通常速度で再生するのに要する時間から、前記記録工程で該データを高速記録するのに要する時間を引いた時間を、該データの禁止時間として設定する工程を備え、前記計時工程は、前記記録工程でデータの高速記録を行っている間、前記禁止時間の計測を停止する工程を備える、ことを特徴とする。
【００１３】
前記計時工程は、前記記録工程がデータの高速記録を終えた時点から、該データの前記禁止時間を計測する工程を備えてもよい。
【００１６】
本発明の第４の観点にかかるデータ記録再生方法は、所定数の記録媒体に記録された所定数のデータを高速再生する再生工程と、前記再生工程で高速再生するデータを所定の記録媒体に高速記録する記録工程と、前記記録工程で高速記録済みのデータを再び高速記録することを禁止する禁止時間を、該記録工程で高速記録するデータ毎に設定する時間設定工程と、前記禁止時間を計測する計時工程と、前記禁止時間が未経過であるデータを前記記録工程で高速記録することを禁止する禁止工程と、を備えるデータ記録再生方法であって、前記時間設定工程は、データを通常速度で再生するのに要する時間を、該データの禁止時間として設定する工程を備え、前記計時工程は、前記記録工程で高速記録するデータが、計測する禁止時間のデータでない場合に、該記録工程でデータの高速記録を行っている間、該禁止時間の計測を停止する工程を備える、ことを特徴とする。
【００１７】
前記記録工程で高速記録するデータ及び該データの禁止時間に関する情報をそれぞれ対応付けて記憶する記憶工程をさらに備えてもよい。
【００１８】
本発明の第５の観点にかかるコンピュータ読み取り可能な記録媒体は、コンピュータを、所定数の記録媒体に記録された所定数のデータを高速再生する再生手段と、前記再生手段が高速再生するデータを所定の記録媒体に高速記録する記録手段と、前記記録手段が高速記録済みのデータを再び高速記録することを禁止する禁止時間を、該記録手段が高速記録するデータ毎に設定する時間設定手段と、前記禁止時間を計測する計時手段と、前記禁止時間が未経過であるデータを前記記録手段が高速記録することを禁止する禁止手段と、から構成されているデータ記録再生装置であって、前記時間設定手段は、データを通常速度で再生するのに要する時間から、前記記録手段が該データを高速記録するのに要する時間を引いた時間を、該データの禁止時間として設定し、前記計時手段は、前記記録手段がデータの高速記録を行っている間、前記禁止時間の計測を停止する、ことを特徴とするデータ記録再生装置として機能させるためのプログラムを記録している。
【００１９】
【発明の実施の形態】
次に、本発明の実施の形態にかかる記録再生装置について図面を参照して説明する。
本発明の実施の形態にかかる記録再生装置は、オーディオ装置等に備えられ、ＣＤ（Compact Disc）に記録されている楽曲データをＭＤ（Mini Disc ）に高速度で記録（高速ダビング）する。
上記記録再生装置は、図１に示すように、ＣＤ再生部１と、ＭＤ記録再生部２と、ＤＡＣ（デジタル／アナログコンバータ）３と、操作部４と、表示部５と、メモリ６と、タイマ７と、コントローラ８と、から構成されている。
【００２０】
ＣＤ再生部１は、ＣＤを所定速度で回転させるスピンドルモータ、所定波長のレーザ光をＣＤに照射し、ＣＤに記録されている情報（データ）を読み出す光ピックアップ、光ピックアップをＣＤの径方向に移動させるスレッドモータ、及び、ＤＳＰ（Digital Signal Processor）等から構成されている。ＣＤ再生部１は、複数枚のＣＤを収納し、ＣＤに記録されているＴＯＣ（Table Of Contents ）情報から、ＣＤを通常速度で再生する際にかかる総時間、記録されている楽曲データの数（トラック数）、通常速度で再生する際にかかる各楽曲データの個別再生時間等を取得する。ＣＤ再生部１に収納される各ＣＤは、その収納位置に応じて、例えばディスク１、ディスク２、・・・というディスク番号により区別される。また、ＣＤ再生部１は、ディスク番号、総時間、個別再生時間、及び、トラック数等をそれぞれ対応付け、ＣＤトラック情報としてコントローラ８に出力する。また、ＣＤ再生部１は、ＣＤに記録された楽曲データを通常速度で再生（通常再生）し、又は、高速度で再生（高速再生）し、ＭＤ記録再生部２及びＤＡＣ３に出力する。
【００２１】
ＭＤ記録再生部２は、ＭＤを所定速度で回転させるスピンドルモータ、ＭＤに情報（データ）を記録する磁気ヘッド、ＭＤに所定波長のレーザ光を照射し、ＭＤに記録されている情報（データ）を読み出す光ピックアップ、磁気ヘッド及び光ピックアップをＭＤの径方向に移動させるスレッドモータ、及び、ＤＳＰ（Digital Signal Processor）等から構成されている。ＭＤ記録再生部２は、ＣＤ再生部１から供給される楽曲データをＭＤに記録する。具体的には、ＭＤ記録再生部２は、ＣＤ再生部１が通常再生した楽曲データを通常速度で記録（通常録音）し、ＣＤ再生部１が高速再生した楽曲データを高速度で記録（高速録音）する。また、ＭＤ記録再生部２は、ＭＤに記録されている楽曲データを再生し、再生した楽曲データをＤＡＣ３に出力する。
【００２２】
ＤＡＣ３は、ＣＤ再生部１及びＭＤ記録再生部２から供給される楽曲データをアナログの楽曲信号に変換し、変換した楽曲信号を所定のアンプ及びスピーカ等を介して音声として出力する。
操作部４は、記録再生装置の利用者が様々な指示を入力するために設けられており、利用者による所定操作に従って様々な指示を示す信号をコントローラ８に出力する。例えば、操作部４は、楽曲データをＣＤからＭＤに高速ダビングすることを指示する高速ダビング信号をコントローラ８に出力する。なお、高速ダビング信号は、高速ダビング対象の楽曲データが記録されているＣＤのディスク番号、高速ダビング対象の楽曲データが何曲目であるのかを示すトラック番号、及び、ダビングする順番（ダビング設定順）等を示す。
【００２３】
表示部５は、所定のマークや文字列等を表示し、利用者にオーディオシステムの動作状況等を示す。
メモリ６は、ＲＡＭ（Random Access Memory）等を備え、上記ＣＤトラック情報を記憶する。また、メモリ６は、高速ダビングを禁止するために用いられる曲管理テーブルを記憶する。曲管理テーブルは、例えば図２に示すように、ダビング実施順、ダビング禁止時間、及び、再生トラックがそれぞれ対応付けられて構成されている。
【００２４】
ダビング実施順は、実際に高速ダビングされる、又は、高速ダビングされた順番を示す。
ダビング禁止時間は、高速ダビングを禁止するために楽曲データ毎に設定される時間であり、例えば、上記個別再生時間がＫである楽曲データを通常のＳ倍（Ｓは２以上の整数）の速度で高速ダビングする場合、Ｋ−Ｋ÷Ｓで与えられる。言い換えると、ダビング禁止時間は、（高速ダビングに要する時間）＋（ダビング禁止時間）＝（個別再生時間）となるように設定される。
再生トラックは、高速ダビングされる楽曲データの種類を示す情報であり、例えば高速ダビングされる楽曲データが記録されているＣＤの種類、及び、トラック番号（TNO ）を示す。なお、ＣＤの種類は、ＣＤの総時間（DISC TOTAL TIME ）、及び、トラック数（MAX TNO ）により示される。
【００２５】
タイマ７は、コントローラ８から供給される高速ダビング終了信号に応答して、上記ダビング禁止時間のカウントを開始し、高速ダビング開始信号に応答して、上記ダビング禁止時間のカウントを停止する。具体的には、タイマ７は、コントローラ８から高速ダビング終了信号を供給されると、メモリ６の曲管理テーブルが示すダビング実施順及びダビング禁止時間に従って、楽曲データ毎に設定されたダビング禁止時間のカウントを開始する。そして、タイマ７は、楽曲データ毎に設定されたダビング禁止時間のカウントを終了する毎に、カウントを終了した楽曲データに関する情報を曲管理テーブルから消去する。この消去により、曲管理テーブルに記録されている各楽曲データのダビング実施順は、１つずつ自動的に繰り上がる。また、タイマ７は、ダビング禁止時間のカウント中にコントローラ８から高速ダビング開始信号を供給されると、カウントを一旦停止し、高速ダビング終了信号を供給されることにより、カウントを再開する。
【００２６】
コントローラ８は、ＣＰＵ（Central Processing Unit ）及び周辺ＬＳＩ（Large Scale Integration ）等から構成されるマイクロコンピュータ等から構成されている。コントローラ８は、ＣＤ再生部１、ＭＤ記録再生部２、及び、操作部４から供給される様々な情報及び信号等を用いて、ＣＤ再生部１、ＭＤ記録再生部２、ＤＡＣ３、表示部５、メモリ６、及び、タイマ７の動作を制御し、楽曲データの高速ダビングを行う。なお、コントローラ８の詳しい動作については後述する。
【００２７】
次に、以上のように構成された記録再生装置の動作について説明する。
楽曲データをＣＤからＭＤに高速ダビングする際、記録再生装置の利用者は、高速ダビング対象である楽曲データを記録した所定枚数のＣＤをＣＤ再生部１にセットし、ダビング先であるＭＤをＭＤ記録再生部２にセットする。
ＣＤ再生部１は、セットされた各ＣＤのＴＯＣ情報から、ＣＤの総時間、楽曲データの個別再生時間、及び、トラック数等を取得し、上記ＣＤトラック情報を生成してコントローラ８に出力する。
【００２８】
コントローラ８は、ＣＤ再生部１から供給されるＣＤトラック情報をメモリ６に記憶させる。
次に、記録再生装置の利用者は、操作部４を操作して、高速ダビング対象の楽曲データが記録されているＣＤのディスク番号とトラック番号、及び、ダビングする順番（ダビング設定順）等を設定する。
【００２９】
操作部４は、利用者が設定したディスク番号、トラック番号、及び、ダビング設定順等を高速ダビング信号としてコントローラ８に出力する。
コントローラ８は、操作部４から供給される高速ダビング信号に応答して、図３に示す高速ダビング処理を開始する。
【００３０】
始めに、コントローラ８は、高速ダビング対象の楽曲データがメモリ６の曲管理テーブルに記録されているか否か、即ち、高速ダビング対象である楽曲データのダビング禁止時間が経過しているか否かを判別する（ステップＳ１０１）。例えば、コントローラ８は、上記ダビング設定順に従って、ダビング設定順が１番の楽曲データがメモリ６の曲管理テーブルに記録されているか否かを判別する。
【００３１】
記録されていると判別した場合、即ち、ダビング禁止時間が経過していないと判別した場合（ステップＳ１０１；ＹＥＳ）、コントローラ８は、メモリ６の曲管理テーブル又はタイマ７からダビング禁止時間の残り時間を取得する。そして、コントローラ８は、取得した残り時間を表示部５に表示させ（ステップＳ１０２）、後述するステップＳ１０４の処理を行う。このように、ダビング禁止時間が経過していない場合は、楽曲データの高速ダビングが禁止される。
【００３２】
一方、記録されていないと判別した場合、即ち、ダビング禁止時間が経過したと判別した場合（ステップＳ１０１；ＮＯ）、コントローラ８は、記録されていないと判別した楽曲データに関する情報をメモリ６の曲管理テーブルに記録する（ステップＳ１０３）。具体的には、コントローラ８は、メモリ６のＣＤトラック情報から、記録されていないと判別した楽曲データの個別再生時間を取得し、ダビング禁止時間を求めて曲管理テーブルに記録する。また、コントローラ８は、操作部４から供給された高速ダビング信号、及び、メモリ６が記憶しているＣＤトラック情報から上記ＣＤの種類とトラック番号とを求め、曲管理テーブルに記録する。
【００３３】
次に、コントローラ８は、ダビング設定順が次の楽曲データが存在するか否かを判別する（ステップＳ１０４）。
存在すると判別した場合（ステップＳ１０４；ＹＥＳ）、コントローラ８は、ステップＳ１０１にリターンし、ダビング設定順が次の楽曲データについて上記処理を行う。
【００３４】
存在しないと判別した場合（ステップＳ１０４；ＮＯ）、コントローラ８は、ＣＤ再生部１及びＭＤ記録再生部２を制御し、ダビング禁止時間が経過していると判別した楽曲データの高速ダビングを開始する（ステップＳ１０５）。
この際、コントローラ８は、高速ダビングの開始を示す高速ダビング開始信号をタイマ７に出力する。タイマ７は、ダビング禁止時間のカウント中に高速ダビング開始信号を供給されると、上記したように、ダビング禁止時間のカウントを一旦停止する。このため、記録再生装置の利用者は、楽曲データの高速ダビング中に、他の楽曲データに対して設定されたダビング禁止時間の経過を待つことができない。これにより、楽曲データの著作権を保護することができる。
【００３５】
所定の楽曲データに対する高速ダビングが終了すると、コントローラ８は、高速ダビングの終了を示す高速ダビング終了信号をタイマ７に出力する（ステップＳ１０６）。これにより、タイマ７は、ダビング禁止時間のカウントを開始（又は再開）する。
以上で、コントローラ８が行う高速ダビング処理が終了する。
【００３６】
上記したように、高速ダビングを禁止するダビング禁止時間が楽曲データ毎に設定されるため、記録再生装置の利用者は、効率よく楽曲データの高速ダビングを行うことができる。また、ダビング禁止時間のカウントは、楽曲データの高速ダビング中は行われないので、ダビング禁止時間の経過を他の楽曲データの高速ダビング中に待つことができない。これにより、楽曲データの著作権を保護することができる。
【００３７】
（具体例）
次に、具体例により、上記した記録再生装置の動作を説明する。
１．具体例１
始めに、記録再生装置の利用者が、それぞれ異なるＣＤに記録されている３つの楽曲データを高速ダビングする場合について説明する。なお、記録再生装置は、通常速度の２倍の速度で高速ダビングを行うとする。
記録再生装置の利用者は、高速ダビング対象の楽曲データを記録した３枚のＣＤをＣＤ再生部１にセットし、ダビング先であるＭＤをＭＤ記録再生部２にセットする。
【００３８】
ＣＤ再生部１は、セットされた各ＣＤのＴＯＣ情報から、ＣＤの総時間、楽曲データの個別再生時間、及び、トラック数等を取得し、例えば図４（ａ）に示すＣＤトラック情報を生成してコントローラ８に出力する。
コントローラ８は、ＣＤ再生部１から供給されるＣＤトラック情報をメモリ６に記憶させる。
【００３９】
次に、記録再生装置の利用者は、操作部４を操作して、例えば図４（ｂ）に示すように、高速ダビング対象の楽曲データが記録されているＣＤのディスク番号とトラック番号、及び、ダビングする順番（ダビング設定順）を設定する。具体的には、利用者は、１番目にディスク２のトラック３に記録されている楽曲データを、２番目にディスク３のトラック１に記録されている楽曲データを、３番目にディスク１のトラック２に記録されている楽曲データを、高速ダビングすることを設定する。
【００４０】
操作部４は、利用者が設定したディスク番号、トラック番号、及び、ダビング設定順等を高速ダビング信号としてコントローラ８に出力する。
コントローラ８は、操作部４から供給される高速ダビング信号に応答して、図３に示す高速ダビング処理を開始する。なお、この時点で、メモリ６の曲管理テーブルに記録されている楽曲データは存在しないとする。
【００４１】
始めに、コントローラ８は、ダビング設定順が１番の楽曲データがメモリ６の曲管理テーブルに記録されているか否か、即ち、ダビング禁止時間が経過しているか否かを判別する（ステップＳ１０１）。
この場合、コントローラ８は、記録されていないと判別し（ステップＳ１０１；ＮＯ）、ダビング設定順が１番の楽曲データに関する情報をメモリ６の曲管理テーブルに記録する（ステップＳ１０３）。具体的には、コントローラ８は、ダビング設定順が１番である楽曲データのダビング禁止時間を求めて曲管理テーブルに記録する。この場合、ダビング設定順が１番である楽曲データの個別再生時間は、図４（ａ）及び図４（ｂ）から１０分であるので、ダビング禁止時間は１０−１０÷２＝５（分）である。また、コントローラ８は、ダビング設定順が１番である楽曲データが記録されているＣＤの種類とトラック番号とを求めて曲管理テーブルに記録する。この場合、ＣＤの種類（総時間及びトラック数）は、６０分、１４であり、トラック番号は３である。
【００４２】
次に、コントローラ８は、ダビング設定順が次の楽曲データ、具体的には、ダビング設定順が２番の楽曲データが存在するか否かを判別する（ステップＳ１０４）。
この場合、コントローラ８は、存在すると判別し（ステップＳ１０４；ＹＥＳ）、ステップＳ１０１にリターンする。
【００４３】
コントローラ８が、ダビング設定順が２番及び３番の楽曲データのそれぞれについて、上記ステップＳ１０１からステップＳ１０３までの処理を行うと、図４（ｃ）に示す曲管理テーブルが完成する。
図４（ｃ）に示す曲管理テーブルが完成した後、コントローラ８は、ステップＳ１０４の処理で、ダビング設定順が次の楽曲データは存在しないと判別する（ステップＳ１０４；ＮＯ）。
【００４４】
その後、コントローラ８は、ＣＤ再生部１及びＭＤ記録再生部２を制御して高速ダビングを開始する（ステップＳ１０５）。これにより、ダビング設定順が１番から３番までの楽曲データが、ＣＤからＭＤに順に高速ダビングされる。この際、コントローラ８は、高速ダビングの開始を示す高速ダビング開始信号をタイマ７に出力する。
【００４５】
上記３つの楽曲データの高速ダビングが終了すると、コントローラ８は、高速ダビングの終了を示す高速ダビング終了信号をタイマ７に出力する（ステップＳ１０６）。これにより、タイマ７は、メモリ６が記憶している曲管理テーブルのダビング実施順及びダビング禁止時間に従って、ダビング禁止時間のカウントを開始する。
以上で、コントローラ８が行う高速ダビング処理が終了し、利用者が指定した３つの楽曲データの高速ダビングが終了する。
【００４６】
２．具体例２
次に、上記具体例１で示した楽曲データの高速ダビングが終了した後、記録再生装置の利用者が、それぞれ異なるＣＤに記録されている２つの楽曲データを高速ダビングする場合について説明する。なお、具体例２で示す高速ダビングは、タイマ７が、図４（ｃ）に示したダビング実施順が１番である楽曲データのダビング禁止時間をカウントしている間に行われるとする。また、具体例２で示す２つの楽曲データの内の１つは、具体例１で示した３つの楽曲データの内の１つと同一であるとする。
【００４７】
利用者は、高速ダビング対象である楽曲データを記録した２枚のＣＤをＣＤ再生部１にセットし、ダビング先であるＭＤをＭＤ記録再生部２にセットする。
ＣＤ再生部１は、セットされた各ＣＤのＴＯＣ情報から、ＣＤの総時間、楽曲データの個別再生時間、及び、トラック数等を取得し、例えば図５（ａ）に示すＣＤトラック情報を生成してコントローラ８に出力する。なお、図５（ａ）に示すディスク２のＣＤは、図４（ａ）に示したディスク２のＣＤと同一である。
コントローラ８は、ＣＤ再生部１から供給されるＣＤトラック情報をメモリ６に記憶させる。
【００４８】
次に、記録再生装置の利用者は、操作部４を操作して、例えば図５（ｂ）に示すように、高速ダビング対象の楽曲データが記録されているＣＤのディスク番号とトラック番号、及び、ダビングする順番（ダビング設定順）を設定する。具体的には、利用者は、１番目にディスク１のトラック１に記録されている楽曲データを、２番目にディスク２のトラック３に記録されている楽曲データを、高速ダビングすることを設定する。なお、図５（ｂ）に示すダビング設定順が２番の楽曲データが、図４（ｂ）に示したダビング設定順が１番の楽曲データと同一である。
【００４９】
操作部４は、利用者が設定したディスク番号、トラック番号、及び、ダビング設定順等を高速ダビング信号としてコントローラ８に出力する。
コントローラ８は、操作部４から供給される高速ダビング信号に応答して、図３に示す高速ダビング処理を開始する。
始めに、コントローラ８は、ダビング設定順が１番の楽曲データがメモリ６の曲管理テーブルに記録されているか否か、即ち、ダビング禁止時間が経過しているか否かを判別する（ステップＳ１０１）。
【００５０】
この場合、コントローラ８は、記録されていないと判別し（ステップＳ１０１；ＮＯ）、上記と同様にして、ダビング設定順が１番の楽曲データに関する情報をメモリ６の曲管理テーブルに記録する（ステップＳ１０３）。なお、曲管理テーブルに新たに記録される情報は具体例１で記録された情報に追加される。即ち、図５（ｂ）のダビング設定順が１番の楽曲データに関する情報は、図５（ｃ）に示すように、ダビング実施順の４番目に記録される。具体的には、ダビング禁止時間が９分、ＣＤの種類（総時間及びトラック数）が６５分、１２、トラック番号が１として記録される。
【００５１】
次に、コントローラ８は、ダビング設定順が次の楽曲データ、具体的には、ダビング設定順が２番の楽曲データが存在するか否かを判別する（ステップＳ１０４）。
この場合、コントローラ８は、存在すると判別し（ステップＳ１０４；ＹＥＳ）、ステップＳ１０１にリターンする。そして、コントローラ８は、ダビング設定順が２番の楽曲データがメモリ６の曲管理テーブルに記録されているか否かを判別する。
【００５２】
上記したように、タイマ７は、図４（ｃ）に示したダビング実施順が１番である楽曲データ、即ち、図５（ｂ）に示すダビング設定順が２番である楽曲データのダビング禁止時間をカウントしている。このため、コントローラ８は、ダビング設定順が２番の楽曲データがメモリ６の曲管理テーブルに記録されていると判別する（ステップＳ１０１；ＹＥＳ）。これにより、所定のダビング禁止時間が経過するまで、ダビング設定順が２番である楽曲データの高速ダビングが禁止される。
【００５３】
そして、コントローラ８は、タイマ７からダビング禁止時間の残り時間を取得して表示部５に表示させる（ステップＳ１０２）。
続いて、コントローラ８は、ダビング設定順が次の楽曲データ、具体的には、ダビング設定順が３番の楽曲データが存在するか否かを判別する（ステップＳ１０４）。
【００５４】
この場合、コントローラ８は、存在しないと判別し（ステップＳ１０４；ＮＯ）、ＣＤ再生部１及びＭＤ記録再生部２を制御して高速ダビングを開始する（ステップＳ１０５）。これにより、図５（ｂ）に示すダビング設定順が１番の楽曲データが、ＣＤからＭＤに順に高速ダビングされる。
この際、コントローラ８は、高速ダビングの開始を示す高速ダビング開始信号をタイマ７に出力する。これにより、タイマ７は、ダビング禁止時間のカウントを停止する。
【００５５】
ダビング設定順が１番の楽曲データの高速ダビングが終了すると、コントローラ８は、高速ダビングの終了を示す高速ダビング終了信号をタイマ７に出力する（ステップＳ１０６）。これにより、タイマ７は、メモリ６が記憶している曲管理テーブルのダビング実施順に従って、ダビング禁止時間のカウントを再開する。
以上で、コントローラ８が行う高速ダビング処理が終了し、利用者が指定した楽曲データの高速ダビングが終了する。
【００５６】
上記したように、高速ダビングを禁止するダビング禁止時間が楽曲データ毎に設定されるため、記録再生装置の利用者は、効率よく楽曲データの高速ダビングを行うことができる。また、ダビング禁止時間のカウントは、楽曲データの高速ダビング中は行われないので、ダビング禁止時間の経過を他の楽曲データの高速ダビング中に待つことができない。これにより、楽曲データの著作権を保護することができる。
【００５７】
なお、上記タイマ７は、楽曲データの高速ダビング中だけでなく、通常速度のダビング中にもダビング禁止時間のカウントを停止してもよい。この場合、コントローラ８は、通常速度でのダビングの開始を示す通常ダビング開始信号と、通常速度でのダビングの終了を示す通常ダビング終了信号とをそれぞれタイマ７に出力する。そして、タイマ７は、通常ダビング開始信号に応答してダビング禁止時間のカウントを停止し、通常ダビング終了信号に応答してダビング禁止時間のカウントを開始（又は再開）する。
【００５８】
また、上記実施の形態では、ダビング禁止時間を、（高速ダビングに要する時間）＋（ダビング禁止時間）＝（個別再生時間）となるように設定したが、楽曲データの著作権を保護することができればどのように設定してもよい。例えば、ダビング禁止時間を、（ダビング禁止時間）＝（個別再生時間）となるように設定してもよい。この場合、タイマ７は、高速ダビングされている楽曲データが、カウントするダビング禁止時間の楽曲データでない場合に、ダビング禁止時間のカウントを停止する。言い換えると、タイマ７は、高速ダビングされている楽曲データが、カウントするダビング禁止時間の楽曲データである場合は、ダビング禁止時間をカウントする。さらに、タイマ７は、カウントするダビング禁止時間の楽曲データ以外の楽曲データが通常速度でダビングされている場合にも、ダビング禁止時間のカウントを停止してもよい。
【００５９】
また、上記曲管理テーブルの再生トラックに記録される楽曲データの種類を示す情報は、楽曲データを特定することができれば何でもよい。例えば、楽曲データが示す楽曲固有の情報であるＩＳＲＣ（International Standard Recording Code ）等を用いてもよい。
【００６０】
また、上記記録再生装置は、ＣＤからＭＤへの楽曲データの高速ダビングだけでなく、プログラムやデータ等の高速ダビング一般に適用することができる。例えば、ＣＤ−ＲＡＭ、ＤＶＤ−ＲＡＭ等の記録媒体に画像データやプログラム等を高速ダビングする場合にも適用することができる。
【００６１】
また、本発明の装置は、専用の装置を用いる必要はなく、通常のコンピュータにより実現することができる。例えば、コンピュータに上記した各処理を実行させるためのプログラム及びデータを記録媒体（フロッピーディスク、ＣＤ−ＲＯＭ等）に記録して配布し、これをインストールしてＯＳ上で実行することにより、この発明の装置を実現できる。
また、プログラム及びデータは、ＣＤ−ＲＯＭ等に限らず、通信回線等を介して配布してもよい。
【００６２】
【発明の効果】
以上の説明から明らかなように、本発明によって、著作権を保護すると共に、効率よくデータの記録を行うことができる。
【図面の簡単な説明】
【図１】本発明の実施の形態にかかる記録再生装置の構成図である。
【図２】図１に示した記録再生装置を構成するメモリが記憶する曲管理テーブルの構成を示す図である。
【図３】図１に示した記録再生装置を構成するコントローラが行う高速ダビング処理を示すフローチャートである。
【図４】（ａ）は、図１に示した記録再生装置を構成するＣＤ再生部が生成するＣＤトラック情報の第１の具体例を示す図であり、（ｂ）は、記録再生装置の利用者が行う設定の第１の具体例を示す図であり、（ｃ）は、曲管理テーブルの第１の具体例を示す図である。
【図５】（ａ）は、ＣＤトラック情報の第２の具体例を示す図であり、（ｂ）は、記録再生装置の利用者が行う設定の第２の具体例を示す図であり、（ｃ）は、曲管理テーブルの第２の具体例を示す図である。
【符号の説明】
１  ＣＤ再生部
２  ＭＤ記録再生部
３  ＤＡＣ（デジタル／アナログコンバータ）
４  操作部
５  表示部
６  メモリ
７  タイマ
８  コントローラ
【図１】
0003944343.tif 000002
【図２】
0003944343.tif 000003
【図３】
0003944343.tif 000004
【図４】
0003944343.tif 000005
【図５】
0003944343.tif 000006